(57)【特許請求の範囲】
【請求項１】
左右一対のアイカップと、両アイカップを連結する鼻ベルトと、両アイカップの外端部相互をバンド取付具を介して接続するバンドとからなるゴーグルにおいて、
前記バンド取付具の左右方向の内端部側に、前後に貫通する係合孔と該係合孔を左右方向に開放する挿入用切割溝とを設けて、係止片を挿入用切割溝を挟んで上下一対形成し、
前記アイカップの外端部に前記バンド取付具の上下一対の係止片を挿入係合させる接続孔を上下方向に貫通状に設けると共に、該接続孔の外側に係合部を設け、アイカップの係合部は、該係合部の左右方向の幅Ｔでバンド取付具の切割溝を挿通可能とされると共に、係合部の上下方向の幅Ｗでバンド取付具の切割溝から抜脱不能になるように、アイカップの係合部の上下方向の幅Ｗを左右方向の幅Ｔよりも大きく形成したことを特徴とするゴーグル。
【請求項２】
前記バンド取付具には、一端側にバンド掛止部を設け、他端側に前記係合部の上下方向の幅よりも長い寸法の略円形又は長方形あるいはこれらに類似の形状の前記係合孔を設けると共にその先端部中央に前記アイカップの係合部の左右方向幅と同じか狭い寸法の前記挿入用切割溝を開放状に設けたことを特徴とする請求項１に記載のゴーグル。
【請求項３】
前記バンド取付具の係合孔とバンド掛止部との間に補強部を設け、前記挿入用切割溝の両側に形成される一対の係止片に、対向方向内外方への弾力性を付与したことを特徴とする請求項１又は２に記載のゴーグル。
【請求項４】
前記アイカップの接続孔の外側に設けた係合部の断面形状を略半月形としたことを特徴とする請求項１〜３のいずれかに記載のゴーグル。
【発明の詳細な説明】
【０００１】
【発明の属する技術分野】
本発明は、スイミング用、スキー用、オートバイ用、各種作業用などの眼を保護するためのゴーグルに関するものである。
【０００２】
【従来の技術】
従来、この種ゴーグルとしては、図１６〜図２０に例示するものが知られている（実公平１−３６５０４号公報参照）。
図１６〜図２０に示すゴーグル３１は、スイミング用であって、左右一対のアイカップ３２，３２と、両アイカップ３２，３２の対向内端部を連結する鼻ベルト３３と、両アイカップ３２，３２の外端部相互をバンド取付具３４及び止め具３５を介して接続する弾性バンド３６と、両アイカップ３２，３２の側壁部後端に接着された柔軟な弾力を有するクッションパッド３７とからなっている。
【０００３】
前記アイカップ３２の対向外端は後方傾斜状のバンド取付部３８とされ、凹部３９が形成されている。この凹部３９は上下壁４０，４０及び底壁４１からなり、後方に開放しており、前記底壁４１の後部には段状の平坦部４２が形成され、該平坦部４２に平行状に上下方向の支軸４３が前記上下壁４０，４０に一体的に設けられている。
【０００４】
前記取付具３４は、図２０に示すように、バンド３６の端部を取付ける軸状バンド掛部４４を有する取付部４５と、取付部４５の上下端部に設けられた一対のフック状掛合部４６とを有し、前記支軸４３にその軸心回りに回動自在でかつ係脱自在に係合するようになっている。また、前記止め具３５は、図１９に示すように、取付具３４の取付部４５の背面側に重合しかつバンド挿通孔４７を有する重合部４８と、重合部４８の中央部に設けられたフック状の掛合部４９とを有しており、該掛合部４９が取付具３４の掛合部４６，４６の間に位置して支軸４３に係脱自在に係合するようになっている。
【０００５】
そして、取付具３４のバンド掛部４４にバンド３６を掛けて、止め具３５のバンド挿通孔４７に挿通し、取付具３４に止め具３５を重合させることにより、バンド３６を取付けている（図１７参照）。
【０００６】
【発明が解決しようとする課題】
上記従来技術では、度付きアイカップ３２の交換に際して、アイカップ３２への弾性バンド３６の着脱に便利である。しかし、アイカップのバンド取付部３８及び取付具３４及び止め具３５の構造が複雑で、成形金型も複雑となり高価になるうえ、取付具３４及び止め具３５のフック状掛合部４６，４９の掛合精度が悪いと、この掛合部４６，４９が支軸４３から外れ易くなるという問題がある。
【０００７】
本発明は、上述のような問題点に鑑みてなされたもので、その目的とするところは、アイカップのバンド接続部構造及び取付具の構造が簡単で、従来の止め具が不要であり、コスト低下を図ることができ、アイカップにバンド取付具を上下方向からワンタッチで着脱することのできるゴーグルを提供するにある。
【０００８】
【課題を解決するための手段】
本発明では、上記目的を達成するために、次の技術的手段を講じた。
即ち、本発明は、左右一対のアイカップと、両アイカップを連結する鼻ベルトと、両アイカップの外端部相互をバンド取付具を介して接続するバンドとからなるゴーグルにおいて、
前記バンド取付具の左右方向の内端部側に、前後に貫通する係合孔と該係合孔を左右方向に開放する挿入用切割溝とを設けて、係止片を挿入用切割溝を挟んで上下一対形成し、
前記アイカップの外端部に前記バンド取付具の上下一対の係止片を挿入係合させる接続孔を上下方向に貫通状に設けると共に、該接続孔の外側に係合部を設け、アイカップの係合部は、該係合部の左右方向の幅Ｔでバンド取付具の切割溝を挿通可能とされると共に、係合部の上下方向の幅Ｗでバンド取付具の切割溝から抜脱不能になるように、アイカップの係合部の上下方向の幅Ｗを左右方向の幅Ｔよりも大きく形成したものである（請求項１）。
【０００９】
また、本発明は、前記バンド取付具には、一端側にバンド掛止部を設け、他端側に前記係合部の上下方向の幅よりも長い寸法の略円形又は長方形あるいはこれらに類似の形状の前記係合孔を設けると共にその先端部中央に前記アイカップの係合部の左右方向幅と同じか狭い寸法の前記挿入用切割溝を開放状に設けたものである（請求項２）。
【００１０】
したがって、アイカップの前記係合部に、その上または下からバンド取付具の先端に設けた切割溝を嵌め合わせて、強制的に両者を互いに反対方向に押すと、前記係合部がこれにより切割溝を押し開いて取付具の係合孔に挿入され、アイカップとバンド取付具を相対的に９０度回動させることで、前記取付具の切割溝が、アイカップの左右方向に位置し、切割溝の両側係止片がアイカップの係合部に係止されて接続状態となり、バンド取付具がアイカップの前記係合部から自然に外れないようになる。
【００１１】
そして、アイカップからバンド取付具を外すときは、該取付具をアイカップの上又は下方向に９０度相対的に回動させて、両者を互いに反対方向外方に引張ると、アイカップの係合部が前記取付具の切割溝に嵌入し、さらに強く引張ると、前記係合部が切割溝を押し開いて抜け出し、ワンタッチで取外すことができる。
また、本発明は、前記バンド取付具の係合孔とバンド掛止部との間に補強部を設け、係合部挿入用切割溝の両側に形成される一対の係止片に、対向方向内外方への弾力性を付与することができ（請求項３）、バンド取付具のアイカップの係合部への係合を確実にかつ強固にすることができる。
【００１２】
また、本発明は、前記アイカップの接続孔の外側に設けた該係合部の断面形状を略半月形とすることができ（請求項４）、バンド取付具のアイカップの係合部への挿入取付けを容易にすることができる。
【００１３】
【発明の実施の形態】
以下、本発明の実施の形態を図面に基づき説明する。
図１〜図１５は、本発明に係るゴーグル１の実施形態を示している。
このゴーグル１は、特にスイミングに好適で、図１に示すように、左右一対のアイカップ２，２と、鼻ベルト３と、弾性バンド４と、バンド取付具５，５と、パッド６とにより構成されている。
【００１４】
アイカップ２，２は、透明又は半透明の硬質合成樹脂例えばポリカーボネート又はＣＰ製で、図２、図３にも示すように、前面の平板状レンズ部２Ａと、レンズ部２Ａの周縁から後方に突出する周壁部７とを備えている。この周壁部７の後端部７Ａは、顔面にフィットする曲面とされ、パッド６が接着剤（又は他の固着手段）により固着されている。
【００１５】
また、前記周壁部７の左右対向内側には、鼻ベルト３の取付台部８が突設されている。そして、前記周壁部７の各外端は、バンド接続部９とされている。
前記アイカップ２の取付台部８は、レンズ部２Ａの前面よりも前方に向かって斜めに突出するように設けられている。該取付台部８の後面（顔面側傾斜面）８Ａに、顔面に向かって突出する断面略円形の棒状突起１０が設けられている。この突起１０は、前記後面８Ａに対して、周壁部７側が鋭角となっている。また、この突起１０の後端面１０Ａは、図５に示しているように、前記取付台部後面８Ａと略平行とすべく突起１０の中心軸線に対して傾斜されている。そして、前記突起１０の後端部には、対向内側に係止突部１１が設けられている。
【００１６】
前記アイカップ２は、各周壁部７の左右方向外端側（前記取付台部８の反対側）が、後方に傾斜状に延出されて前記バンド接続部９とされている。なお、該接続部９は、図３に示しているように、厚肉とされ、バンド取付具５の接続孔１２が、上下方向（レンズ部２Ａの中心軸線と直交する方向）に貫通状に設けられている。
【００１７】
前記取付具５の接続孔１２は、図３に示すように、断面形状が前後方向に長い略卵形（だ円又は長円形）の長孔で、前記取付具５の端部（後述の係止片２５）を該孔１２内で９０度回転させうる大きさとされている。そして、前記接続孔１２のアイカップ２外端側には、図７に示しているように、断面略半月形（図示のものは外周が円弧形で内周が直線形のもので、また断面が断面が凸レンズのものであっても良い）のバンド取付具５を係合させる係合部１３が形成されている。
【００１８】
この係合部１３は、上下方向の幅Ｗが左右方向の幅Ｔよりも大きく（約２倍）とされ、該係合部１３の接続孔１２側の面１３Ａに、前記取付具５の係止片２５（後述）が係止されるようになっている。
前記鼻ベルト３は、図３、図８、図９に示しているように、平面視略弯曲状で、軟質（又は半硬質）プラスチック等の弾性材料により成形されている。また、鼻ベルト３は、長手方向（左右方向）両端部３Ａが、後方に向かって傾斜状（八字状）に延び、この両端部３Ａに前後方向に貫通する突起係合孔１４，１４が設けられている。この係合孔１４は、前記両端部３Ａの前後面に対して傾斜している。
【００１９】
さらに、前記両端部３Ａの前面には、鼻ベルト３の前端面に対して、前記アイカップ２の取付台部８の前後方向厚さと略同じ寸法の段差Ｈが設けられている（図５参照）。この段差Ｈは、アイカップ２の前記取付台部８前面と、鼻ベルト３前面を、面一（フラッシュサーフェース）にするのに役立っている。これは、スイミングゴーグルに採用することにより、水の抵抗をなくすのに効果がある。
【００２０】
なお、突起係合孔１４は、円形であるから、円形断面の棒状突起１０と嵌合させると、アイカップ２と鼻ベルト３が、突起１０を軸として相対的に回動自在となる。そして、鼻ベルト３の両端部３Ａ後面には、左右内端側に、係止突部１１を係止する切欠部１５が設けられている。
前記弾性バンド４は、ゴム等の伸縮自在な弾性材により、断面略長方形の平帯状に成形されている。なお、このバンド４は、後頭部に当たる中間部分を、図１６に示しているように２条にすることができる。
【００２１】
前記バンド取付具５は、硬質合成樹脂製で平面視略楕円形のバックル状を呈しており、長手方向の一端側に２本のバンド掛止部１６，１７が、長手方向に平行に設けられ、他端側に略長方形の係合孔１８が設けられている。そして、この係合孔１８と前記バンド掛止部１７との間に、長手方向と直交方向の、即ちバンド掛止部１７と平行な補強部１９が設けられている。
【００２２】
また、前記バンド掛止部１６，１７の両側には、平面視長方形のバンド挿通孔２０，２１，２２が形成され、バンド掛止部１６の外端側の前記挿通孔２０は、前記弾性ベルト４を二重に挿通できる幅とされている。そして、バンド挿通孔２０の外側中央部には、該挿通孔２０に通じるバンド挿通用の切割溝２３が開放状に設けられている。この切割溝２３の幅は、バンド４の厚さよりも若干大きい寸法とされている。
【００２３】
前記バンド取付具５の係合孔１８は、長さＬ及び幅Ｗ１が、アイカップ２の係合部１３の上下方向の幅Ｗよりも大きい寸法とされ、前記係合部１３が嵌入された状態で、バンド取付具５を前記係合部１３に対して上下方向に夫々９０度回動させうる大きさ及び形状とされており、係合孔１８の外端側中央部には、前記係合部１３を係合孔１８に挿入するための切割溝２４が、長手方向にかつ係合孔１８に通じるように開放状に設けられている（図１０〜図１２参照）。
【００２４】
そして、この切割溝２４の幅Ｓは、アイカップ２の係合部１３の左右方向の幅Ｔと同じか又は若干狭くされ、該溝２４の両外側が略カギ形の係止片２５，２５となっている。この係止片２５，２５は、若干の弾性を有し、図１０に矢印イ，ロで示す対向内・外方向に撓んで、アイカップ２の係合部１３の挿通を許容するようになっている。
【００２５】
なお、バンド取付具５の補強部１９は、係止片２５，２５の対向内方への強力な復元力を確保し、かつ十分な強度を保持して、弾性バンド４の長手方向に大きな力が作用した場合でも、アイカップ２の係合部１３から係止片２５が外れないようにしてある。
前記パッド６は、低硬度シリコン製で、ゴム硬度１０度とされ、厚さが薄くてしかも弾力性に富んでおり、顔面へのフィット性が至極良好である。なお、このパッド６のゴム硬度範囲は、２０〜５度好ましくは１２〜８度である。このパッド６は、その厚さが大であると嵩ばるだけで、フィット性の向上は期待薄である。
【００２６】
このパッド６の厚さが薄いと、アイカップ２の中心における前後方向厚さｔ（図３参照）を薄くでき、水との抵抗感が少なくなり、視界も広くすることができる。
上記実施形態によれば、ゴーグル１を装着するとき、左右のアイカップ２，２は、鼻ベルト３に対して棒状突起１０を軸として、図６に矢印ハで示す方向に相対回動する。さらに、バンド取付具５，５は、アイカップ２，２の係合部１３を軸として、図１に矢印ニで示す方向に相対回動する。そのため、アイカップ２は、上下方向に融通性をもって動き、位置調整が容易で、装着者の顔面にパッド６がフィットする。
【００２７】
さらに、ゴーグル１を装着して使用しているとき、アイカップ２と鼻ベルト３には、図５に示すように、弾性バンド４の張力Ｆが矢印で示す方向に作用し、そのため、鼻ベルト３の両端部３Ａには、図５に矢印ＦＡで示す方向に力が作用する。即ち、突起係合孔１４の各外端側が、アイカップ２の取付台部８と棒状突起１０の間に押し込められる。また、棒状突起１０の係止突部１１が鼻ベルト３の突起係合孔１４後方の切欠部１５に係止されている。
【００２８】
また、ゴーグル１の使用中は、前記係合孔１４から棒状突起１０が抜け出して、アイカップ２と鼻ベルト３が分離することはない。そして、バンド取付具５は、その係止片２５，２５がアイカップ２の係合部１３に係止されかつ、強力な弾力により保持されているので、開くことがなく、したがって、アイカップ２とバンド取付具５が分離することはない。
【００２９】
なお、上記実施形態において、アイカップ２に弾性バンド４を接続する場合、図１３に示すように、バンド取付具５の切割溝２４を、アイカップ２の係合部１３に上方又は下方から押し当て、強く押すとその係止片２５が図中矢視イ，ロのように互いに外方に押し開かれ、係合部１３が図１４に示すように、係合部１８内に入る。そこで、バンド取付具５を、図１４、図１５に矢印ホで示す方向に９０度回転させた後、図１５に矢印ヘで示す方向に引くと、係止片２５がアイカップ２の係合部１３の面１３Ａに係止される。この接続状態（図１０参照）になると、もはやバンド取付具５はアイカップ２の係合部１３から外れることはない。
【００３０】
そこで、アイカップ２の係合部１３からバンド取付具５を外して、アイカップを交換する場合、例えば度付きアイカップで装着者の眼の度数に合わなくなって適正度数のものと交換する場合、バンド取付具５をアイカップ２の係合部１３に対して９０度上方又は下方に回動し、これを上方又は下方に強制的に引張ることにより、両係止片２５が切割溝２４に入った係合部１３により押し開かれ、前記取付具５の係合孔１８から簡単に抜け出す。次いで、鼻ベルト３をアイカップ２から分離させる。
【００３１】
なお、交換用アイカップ２に鼻ベルト３及びバンド取付具５を接続する場合は、前述と同様にして行えばよい。
本発明は、上記実施の形態に限定されるものではなく、例えば、アイカップ２の前記バンド取付具５の接続孔１２は平面視長円形とすることができ、バンド取付具５の係合孔１８は長方形・円形・長円形或いはこれに類似の形状とすることができるほか、バンド取付具５の補強部１９をなくしてバンド掛止部１７又は／及び係止片２５の強度を増すことにより対応することができる。
【００３２】
【発明の効果】
本発明は、上述のように、アイカップにバンド取付具を介してバンドを接続するに際し、バンド取付具をアイカップに設けた係合部に上又は下方から押し込んで左又は右方向に９０度回動させることにより、ワンタッチで係合させることができ、また、バンド取付具を取外す際も上又は下方にこれを９０度回動させて、引張ることによりワンタッチで容易に外すことができる。また、アイカップのバンド接続部の構造及びバンド取付具の構造を至極簡単にすることができ、成形金型の構造が簡単になるうえ、部品点数が少なくなるので、コスト低下を図ることが可能である。
【図面の簡単な説明】
【図１】本発明の一実施形態を示す正面斜視図である。
【図２】  同実施形態におけるアイカップの拡大正面図である。
【図３】図２の平面図である。
【図４】図２のＡ−Ａ線断面図である。
【図５】図３のＢ部拡大図である。
【図６】図５のＣ−Ｃ線矢視図である。
【図７】図３のＤ−Ｄ線断面拡大図である。
【図８】同実施形態における鼻ベルトの平面図である。
【図９】同鼻ベルトの正面図である。
【図１０】同実施形態におけるバンド取付具の正面図である。
【図１１】図１０の上平面図である。
【図１２】図１０のＥ−Ｅ線断面図である。
【図１３】同実施形態におけるアイカップとバンド取付具の接続作業説明図である。
【図１４】同接続作業説明図である。
【図１５】同接続作業説明図である。
【図１６】従来例の頭部への装着状態を示す側面図である。
【図１７】従来例の中央横断平面拡大図である。
【図１８】同バンド接続部の分解斜視図である。
【図１９】同バンド止め具の斜視図である。
【図２０】同バンド取付具の斜視図である。
【符号の説明】
１  ゴーグル
２  アイカップ
３  鼻ベルト
４  弾性バンド
５  バンド取付具
６  パッド
９  外端部（バンド接続部）
１２  接続孔
１３  係合部
１６，１７  バンド掛止部
１８  係合孔
１９  補強部
２０，２１，２２  バンド挿通孔
２４  切割溝
２５  係止片
Ｌ  バンド取付具５の係合孔１８の左右方向の幅
Ｓ  切割溝２４の幅
Ｔ  アイカップ係合部１３の左右方向幅
Ｗ  アイカップ係合部１３の上下方向幅
Ｗ１  バンド取付具５の係合孔１８の上下方向幅
【図１】
0003838706.tif 000002
【図２】
0003838706.tif 000003
【図３】
0003838706.tif 000004
【図４】
0003838706.tif 000005
【図５】
0003838706.tif 000006
【図６】
0003838706.tif 000007
【図７】
0003838706.tif 000008
【図８】
0003838706.tif 000009
【図９】
0003838706.tif 000010
【図１０】
0003838706.tif 000011
【図１１】
0003838706.tif 000012
【図１２】
0003838706.tif 000013
【図１３】
0003838706.tif 000014
【図１４】
0003838706.tif 000015
【図１５】
0003838706.tif 000016
【図１６】
0003838706.tif 000017
【図１７】
0003838706.tif 000018
【図１８】
0003838706.tif 000019
【図１９】
0003838706.tif 000020
【図２０】
0003838706.tif 000021